(57)【要約】【課題】部品点数を増加せず、虫取り機能を備える送風装置を提供する。【解決手段】エアコン室内機（１）は、吸込み口（１４，１６）、吹出し口（１５）、フィルタ（１７）および送風機（１８）を備え、送風機（１８）の動作により、吸込み口（１４，１６）から吸い込まれた空気がフィルタ（１７）を通過し、吹出し口（１５）から吹き出される。フィルタ（１７）の吸込み口（１４，１６）側の面は、粘着面（１７ｂ）となっている。【選択図】図３
2018096634.tif 000002
【特許請求の範囲】
【請求項１】
空気の吸込み口と、
空気の吹出し口と、
フィルタと、
送風機とを備え、
前記送風機の動作により、前記吸込み口から吸い込まれた空気が前記フィルタを通過し、前記吹出し口から吹き出される送風装置において、
前記フィルタの前記吸込み口側の面は、粘着面となっていることを特徴とする送風装置。
【請求項２】
前記フィルタの交換が必要であることを報知する報知部と、
要交換運転時間として第１要交換運転時間および前記第１要交換運転時間よりも長い第２要交換運転時間を記憶する設定記憶部と、
前記フィルタの交換時点からの当該送風装置の積算運転時間をカウントするカウンタと、
フィルタの要交換運転時間として、虫が多い期間とした第１の期間には前記第１要交換運転時間を選択し、虫が少ない期間とした第２の期間には前記第２要交換運転時間を選択し、前記積算運転時間が、選択した前記要交換運転時間に到達した場合に、前記報知部を動作させる報知制御部とを備えていることを特徴とする請求項１に記載の送風装置。
【請求項３】
前記フィルタの前記粘着面は黒色であることを特徴とする請求項１または２に記載の送風装置。
【請求項４】
掃除部材が前記フィルタの表面に接触してフィルタの表面を掃除する自動フィルタ掃除部と、
前記自動フィルタ掃除部の稼働を制御する制御部と、
前記制御部に対する入力部とを備え、
前記制御部は、前記入力部から前記自動フィルタ掃除部の稼働停止を意図する入力が行われた場合に、前記自動フィルタ掃除部の稼働指示に優先して、前記自動フィルタ掃除部の稼働を停止させることを特徴とする請求項１から３のいずれか１項に記載の送風装置。
【請求項５】
前記粘着面を有する前記フィルタは、両側部に噛合部を有しておらず、前記粘着面を有していないフィルタは、両側部に前記噛合部を有しており、これら両フィルタは交換して使用可能であり、
前記噛合部と噛み合って前記フィルタを送るフィルタ送部、および前記フィルタ送部により送られる前記フィルタの表面に接触してフィルタの表面を掃除する掃除部材を有する自動フィルタ掃除部を備えていることを特徴とする請求項１から３のいずれか１項に記載の送風装置。
【請求項６】
前記フィルタは、前記粘着面を前記空気の吸込み口側の面のみに有していることを特徴とする請求項１から５のいずれか１項に記載の送風装置。
【請求項７】
前記フィルタは、前記粘着面を有する網部と、前記粘着面側に設けられ、前記網部を支持する支持部とを備え、
前記支持部は、前記粘着面から突出し、前記フィルタを送風装置に装着した状態において、前記粘着面が他の部材と接触するのを防止する高さを有していることを特徴とする請求項１から６のいずれか１項に記載の送風装置。
【発明の詳細な説明】
【技術分野】
【０００１】
本発明は、フィルタおよび送風機を備えた送風装置に関する。
【背景技術】
【０００２】
近年、世界的に、虫、特に蚊が媒介する感染症が増加しており、一般家庭等での捕虫器の要求が高まっている。例えば、特許文献１には、粘着剤付のネットを備え、ユーザが手操作にて振り回し、虫を捕獲する虫取りネットが開示されている。特許文献２には、内部に捕虫紙が取り付けられ、内部に入り込んだ虫を捕虫紙にて捕獲する捕虫器が開示されている。
【先行技術文献】
【特許文献】
【０００３】
【特許文献１】特開２００８−１６７７２６号公報
【特許文献２】特開２００６−２３０２５８号公報
【発明の概要】
【発明が解決しようとする課題】
【０００４】
しかしながら、特許文献１および２に記載の捕虫器類は、虫取り専用の製品であり、虫取り用として別途購入する必要がある。また、部屋に虫がいない季節には、不要となる。さらに、特許文献２に記載の捕虫器では、専用の捕虫紙が必要であり、部品点数が多くなっている。
【０００５】
したがって、本発明は、部品点数を増加することなく虫取り機能を備えることができる送風装置の提供を目的としている。
【課題を解決するための手段】
【０００６】
上記の課題を解決するために、本発明の一態様に係る送風装置は、空気の吸込み口と、空気の吹出し口と、フィルタと、送風機とを備え、前記送風機の動作により、前記吸込み口から吸い込まれた空気が前記フィルタを通過し、前記吹出し口から吹き出される送風装置において、前記フィルタの前記吸込み口側の面は、粘着面となっている。
【発明の効果】
【０００７】
本発明の一態様によれば、送風装置は、捕虫機能を備え、専用の捕虫器を不要とする。また、フィルタには、本来の空気のフィルタ機能（埃除去機能）に加えて捕虫機能が付与されているので、専用の捕虫部材（例えば粘着面を有する捕虫シート）が不要であり、部品点数の増加を抑制し、かつ捕虫部材を設けるスペースも不要である。また、フィルタが捕えた埃や虫は、粘着面に付着しているので、フィルタの交換等のためにフィルタを送風装置から取り外す際に、埃や虫がフィルタから落下し難く、衛生的である等の効果を奏する。
【図面の簡単な説明】
【０００８】
【図１】本発明の実施形態の送風装置であるエアコン室内機を斜め下方から見た場合の斜視図である。
【図２】図１に示したエアコン室内機のフロントパネルを開いた状態を斜め上方から見た場合の斜視図である。
【図３】図１に示したエアコン室内機の縦断面図である。
【図４】図３に示したフィルタの斜視図である。
【図５】図３に示したエアコン室内機の運転時の空気の流れを示す説明図である。
【図６】本発明の他の実施形態の、自動フィルタ掃除部を備えたエアコン室内機の構成を示す斜視図である。
【図７】図６に示したエアコン室内機の縦断面図である。
【図８】図７に示した自動フィルタ掃除部の構成を示す縦断面図である。
【図９】図７に示した自動フィルタ掃除部の制御系統の構成を示すブロック図である。
【図１０】本発明のさらに他の実施形態の、自動フィルタ掃除部を備えたエアコン室内機の構成を示す縦断面図である。
【図１１】本発明のさらに他の実施形態の送風装置である空気清浄機を背面側から見た場合の分解斜視図である。
【図１２】図１１に示した空気清浄機の縦断面図である。
【図１３】本発明のさらに他の実施形態の送風装置であるエアコン室内機が備えるフィルタ要交換報知装置の構成を示すブロック図である。
【図１４】図１３に示したフィルタ要交換報知装置の動作を示すフローチャートである。
【図１５】本発明の実施形態のエアコン室内機に使用する、粘着性を有する素材にて形成したフィルタを示す縦断面図である。
【発明を実施するための形態】
【０００９】
〔実施形態１〕
本発明の実施形態を図面に基づいて以下に説明する。本実施形態では、送風装置がエアコンディショナの室内機（以下、エアコン室内機と称する）である場合について説明する。
【００１０】
（エアコン室内機１の構成）
図１は、本実施形態の送風装置であるエアコン室内機１を斜め下方から見た場合の斜視図である。図２は、図１に示したエアコン室内機１のフロントパネル１２を開いた状態を斜め上方から見た場合の斜視図である。図３は、図１に示したエアコン室内機１の縦断面図である。
【００１１】
図１から図３に示すように、エアコン室内機１は、外面を形成する筐体部１１を有し、前面にフロントパネル１２を有し、フロントパネル１２の下に風向板１３を有している。
【００１２】
フロントパネル１２は、上端部を中心に回転可能であり、手動操作によって開閉可能となっている。フロントパネル１２の下端部と風向板１３の上端部との間は、下吸込み口１４となっている。
【００１３】
風向板１３は、エアコン室内機１の運転状態において、自動で開閉駆動され、開状態において吹出し口１５を開放し、閉状態において吹出し口１５を塞ぐようになっている。筐体部１１の上壁部には上吸込み口１６が形成されている。
【００１４】
エアコン室内機１の内部には、フロントパネル１２の内側にフィルタ１７が設けられ、エアコン室内機１の中央部付近に送風機１８が設けられている。フィルタ１７と送風機１８との間には、熱交換器１９が設けられ、送風機１８の周りは空間部となっている。
【００１５】
（フィルタ１７の構成）
図４はフィルタ１７の斜視図である。図４に示すように、フィルタ１７は、フィルタとして機能する網部２１を格子状支持部（支持部）２２によって支持した構成である。本実施形態において、フィルタ１７は、エアコン室内機１の左右方向に合計２枚設けられ、図２に示したように、フロントパネル１２を開いた状態において、エアコン室内機１に対して着脱自在となっている。フィルタ１７の着脱は、エアコン室内機１に設けられた案内レールに案内された状態にて、ユーザが把持部１７ａを持ってフィルタ１７をスライドさせることにより行う。
【００１６】
フィルタ１７の網部２１における表面すなわち下吸込み口１４および上吸込み口１６側の面は、粘着面１７ｂとなっている。また、格子状支持部２２は、網部２１の面すなわち粘着面１７ｂよりも高く、粘着面１７ｂに対して凸状となっている。格子状支持部２２の高さは、フィルタ１７をエアコン室内機１に装着した状態において、粘着面１７ｂが他の部材と接触するのを防止できる高さである。粘着面１７ｂは、粘着面１７ｂに付着した虫（少なくとも蚊）を逃がすことなく、捕獲できる粘着力を有している。
【００１７】
フィルタ１７の粘着面１７ｂの形成は、網部２１への粘着剤のローラあるいは刷毛などによる塗り、あるいはスプレーによる粘着剤の吹付により行うことができる。この場合、格子状支持部２２には粘着剤が付着しないようにしておく。なお、このような方法による粘着面１７ｂの形成は、既存のフィルタに対して粘着面１７ｂを形成する場合に好適である。
【００１８】
なお、フィルタ１７の少なくとも粘着面１７ｂの色は、蚊が好む黒色とすることが、蚊の捕獲量を増やす上で好ましい。したがって、粘着面１７ｂを形成する場合に網部２１に塗布する粘着剤は、黒色の使用することが好ましい。また、網部２１として黒色のものを使用することも好ましい。
【００１９】
（エアコン室内機１の動作）
上記の構成において、エアコン室内機１の動作について以下に説明する。図５は、エアコン室内機１の運転時の空気の流れを示す説明図である。
【００２０】
図５に示すように、エアコン室内機１の運転時には、風向板１３が開状態となり、送風機１８が回転する。これにより、下吸込み口１４および上吸込み口１６から空気がエアコン室内機１の内部の捕虫空間３１に吸い込まれる。捕虫空間３１は、フィルタ１７とフロントパネル１２および筐体部１１の上壁部との間の空間である。捕虫空間３１に吸い込まれた空気は、さらにフィルタ１７および熱交換器１９を通過して送風機１８の周りに取り込まれ、送風機１８によって吹出し口１５から室内へ吹き出される。なお、空気は、熱交換器１９を通過する際に、エアコンの運転の設定状態に応じて、除湿、冷却あるいは加熱される。
【００２１】
ここで、空気とともに下吸込み口１４および上吸込み口１６から捕虫空間３１に吸い込まれた虫は、フィルタ１７を通過することなく、フィルタ１７の粘着面１７ｂに付着し、捕獲される。
【００２２】
なお、粘着面１７ｂに虫が多数付着しているフィルタ１７は、フィルタ１７としての機能が大幅に低下する前に、新たなものと交換する。この場合、フィルタ１７は使い捨てとする。あるいは、フィルタ１７は、例えば水洗いによって粘着面１７ｂから虫を除去できるものであれば、水洗いした後、再使用してもよい。
【００２３】
また、フィルタは、室内に虫が出る季節（例えば夏場）には粘着面１７ｂを有するフィルタ１７を使用し、室内に虫が出ない季節には粘着面１７ｂを有していないフィルタを使用するといったように、季節等に応じて適宜交換するようにしてもよい。
【００２４】
また、エアコン室内機１は、複数のフィルタを装着できる構成である場合、複数のフィルタの一部を、粘着面１７ｂを有するフィルタ１７にし、残りの一部を、粘着面１７ｂを有しない通常のフィルタにしてもよい。それらフィルタは、室内に出る虫の数や、室内の埃の量、季節やエアコン室内機１の設置場所に応じて、適宜組み合わせを変えることで、特にフィルタが使い捨てタイプの場合、粘着面１７ｂを有するフィルタ１７の効率的な運用ができる。
【００２５】
（エアコン室内機１の利点）
エアコン室内機１では、捕虫空間３１に空気とともに侵入した虫を、フィルタ１７の粘着面１７ｂに付着させ、捕獲することができる。したがって、エアコン室内機１は、捕虫機能を備え、専用の捕虫器を不要とする。また、フィルタ１７には、本来備えている空気のフィルタ機能（埃除去機能）に加えて捕虫機能が付与されているので、専用の捕虫シートが不要であり、部品点数の増加を抑制し、また捕虫シートを設けるスペースも不要である。
【００２６】
また、フィルタ１７は、片面（前面）のみが粘着面１７ｂとなっているので、フィルタ１７に粘着剤を塗布して粘着面１７ｂを形成する場合の製造コストを低減することができる。また、エアコン室内機１に対するフィルタ１７の取り付け、取り外し作業の際に、フィルタ１７を粘着面１７ｂではない側の面を下にして、台の上等に載置することができるので、フィルタ１７を扱う場合の作業性がよい。
【００２７】
また、フィルタ１７の粘着面１７ｂ側に設けられた格子状支持部２２は、粘着面１７ｂ（網部２１の面）よりも高く、粘着面１７ｂに対して凸状となっている。したがって、フィルタ１７をエアコン室内機１に対して取り付け、取り外しする場合に、粘着面１７ｂが他の部材に接触し難くなる。これにより、粘着面１７ｂが他の部材に付着して、フィルタ１７の取り付けおよび取り外しの作業性が低下する事態を防止することができる。
【００２８】
また、フィルタ１７が捕えた埃や虫は、粘着面１７ｂに付着している。したがって、フィルタ１７の交換等のためにフィルタ１７をエアコン室内機１から取り外す際に、埃や虫がフィルタ１７から落下し難く、衛生的である。
【００２９】
〔実施形態２〕
本発明の他の実施形態を図面に基づいて以下に説明する。なお、説明の便宜上、前記実施形態にて説明した部材と同じ機能を有する部材については、同じ符号を付記し、その説明を省略する。
【００３０】
（エアコン室内機２の概要）
図６は、本発明の実施形態の、自動フィルタ掃除部４１を備えた送風装置であるエアコン室内機２の構成を示す斜視図である。図７は、図６に示したエアコン室内機２の縦断面図である。図８は、図７に示した自動フィルタ掃除部４１の構成を示す縦断面図である。図９は、自動フィルタ掃除部４１の制御系統の構成を示すブロック図である。
【００３１】
図７および図８に示すように、本実施形態のエアコン室内機２は、自動フィルタ掃除部４１を備えている。
【００３２】
（フィルタ４２の構成）
自動フィルタ掃除部４１を備えたエアコン室内機２の場合には、前記フィルタ１７に代えてフィルタ４２が使用される。フィルタ４２の表面すなわち上吸込み口１６側の面は、前記フィルタ１７の粘着面１７ｂに対応する粘着面４２ｂとなっている。フィルタ４２は、裏面における左右の側縁部に、一定間隔に並ぶ多数の凸部である噛合凸部４２ｃを有している。
【００３３】
（自動フィルタ掃除部４１の構成）
自動フィルタ掃除部４１は、図７および図８に示すように、前面部ブラシ５１、後面部ブラシ５２（図８参照）、フィルタ配置通路５３、フィルタ補助通路５４およびフィルタ送部５５（図７参照）を備えている。さらに、自動フィルタ掃除部４１は、図９に示すように、清掃駆動部５６、制御部５７および入力部５８を備えている。
【００３４】
前面部ブラシ５１は、回転してフィルタ４２の前面を清掃するブラシである。後面部ブラシ５２は、回転してフィルタ４２の後面を清掃するブラシである。フィルタ配置通路５３は、フィルタ４２の左右の側縁部を案内する左右の案内部の間に形成され、正規の位置に配置されたフィルタ４２を保持するための通路である。フィルタ補助通路５４は、フィルタ４２の左右の側縁部を案内する左右の案内部の間に形成され、前面部ブラシ５１および後面部ブラシ５２によりフィルタ４２を清掃する場合に、フィルタ配置通路５３から送り出されたフィルタ４２を一時的に保持するための通路である。
【００３５】
フィルタ送部５５は、後面部ブラシ５２の両端部に設けられ、後面部ブラシ５２の回転時にフィルタ４２の噛合凸部４２ｃと噛み合いながら回転し、フィルタ４２をフィルタ配置通路５３からフィルタ補助通路５４へ、またフィルタ補助通路５４からフィルタ配置通路５３へ移動させる。
【００３６】
清掃駆動部５６は、例えばモータ（図示せず）およびギア（図示せず）を備え、前面部ブラシ５１および後面部ブラシ５２を回転させる。制御部５７は、例えばマイクロコンピュータからなり、入力部５８からの入力等に基づいて、清掃駆動部５６の駆動を制御する。入力部５８は、例えばエアコン室内機２のリモートコントローラ（図示せず。以下、単にリモコンと称する。）であり、ユーザの操作に応じて、エアコン室内機１（制御部５７）に対して、各種動作の指示を入力する。
【００３７】
自動フィルタ掃除部４１によるフィルタの清掃動作では、フィルタ配置通路５３とフィルタ補助通路５４との間を、１回あるいは複数回、フィルタを往復移動させる。
【００３８】
なお、フィルタ４２を含み、エアコン室内機２のその他の構成は、前述したエアコン室内機１の構成と同様である。
【００３９】
（エアコン室内機２の動作）
上記の構成において、エアコン室内機２の運転時には、風向板１３が開状態となり、送風機１８の回転により空気が上吸込み口１６からエアコン室内機２の内部の捕虫空間３１に吸い込まれる。空気とともに捕虫空間３１に吸い込まれた虫は、エアコン室内機１の場合と同様、フィルタ４２の粘着面４２ｂに付着し、捕獲される。
【００４０】
ここで、自動フィルタ掃除部４１を有する従来のエアコン室内機では、リモコン操作によるユーザからの指示、および例えばエアコン室内機２の運転終了時などにおいて、自動フィルタ掃除部４１が自動的に動作する（稼働する）設定となっている。しかしながら、自動フィルタ掃除部４１が動作すると、フィルタ４２の粘着面４２ｂに前面部ブラシ５１が貼り付き、自動フィルタ掃除部４１あるいはエアコン室内機２の故障の原因となる。このため、粘着面４２ｂを有するフィルタ４２を使用している場合には、自動フィルタ掃除部４１を動作させない設定（動作不可設定）にしておく必要がある。
【００４１】
そこで、エアコン室内機２では、自動フィルタ掃除部４１の動作不可設定を例えばリモコンの操作により行えるようになっている。具体的には、リモコンにより自動フィルタ掃除部４１の動作不可設定が行われると、制御部５７がその設定を保存する。この場合、動作不可設定は、リモコンからの自動フィルタ掃除部４１の動作指示、および自動的な自動フィルタ掃除部４１の動作設定（例えばエアコン室内機２の運転終了時の自動的な自動フィルタ掃除部４１の動作設定）に優先する。したがって、制御部５７は、動作不可設定が行われると、リモコンからの指示に基づく自動フィルタ掃除部４１の動作、および自動的な自動フィルタ掃除部４１の動作を行わない。エアコン室内機２のその他の動作は、前述したエアコン室内機１の動作と同様である。
【００４２】
（エアコン室内機２の利点）
自動フィルタ掃除部４１を備えたエアコン室内機２では、粘着面４２ｂを有するフィルタ４２を使用している場合に、自動フィルタ掃除部４１を動作させない設定とすることができる。これにより、自動フィルタ掃除部４１が動作することによる生じる自動フィルタ掃除部４１あるいはエアコン室内機２の故障を防止することができる。エアコン室内機２のその他の利点は、前述したエアコン室内機１の利点と同様である。
【００４３】
なお、本実施形態では、自動フィルタ掃除部４１は、ブラシにてフィルタの表面のゴミ（埃）を書き落とすブラシ式のものを例に説明した。しかしながら、自動フィルタ掃除部４１は、これに限定されることなく、小型の掃除機により例えばフィルタの表面のゴミ（埃）を吸引して除去する吸引式のものであってもよい。すなわち、自動フィルタ掃除部４１が吸引式のものであっても、ゴミの吸込み口がフィルタ１７の粘着面１７ｂに粘着することになるので、ブラシ式のものと同様の問題が生じる。
【００４４】
〔実施形態３〕
本発明のさらに他の実施形態を図面に基づいて以下に説明する。なお、説明の便宜上、前記実施形態にて説明した部材と同じ機能を有する部材については、同じ符号を付記し、その説明を省略する。
【００４５】
（エアコン室内機３およびフィルタ４３の構成）
図１０は、本発明の実施形態の、自動フィルタ掃除部４１を備えた送風装置であるエアコン室内機３の構成を示す縦断面図である。図１０に示すように、エアコン室内機３は、前述のエアコン室内機２と同様、自動フィルタ掃除部４１を備えている。エアコン室内機３において使用するフィルタ４３は、前述のフィルタ４２と同様の粘着面４３ｂを有している。ただし、フィルタ４３は、フィルタ４２が有していた噛合凸部４２ｃ（図８参照）を有しておらず、噛合凸部４２ｃが形成されていた面に相当する面（裏面における左右の側縁部）が平坦面となっている。
【００４６】
また、エアコン室内機３では、従来のエアコン室内機と同様、リモコン操作によるユーザからの指示、および例えばエアコン室内機２の運転終了時などにおいて、自動フィルタ掃除部４１が自動的に動作する設定となっている。
【００４７】
なお、フィルタ４３を含み、エアコン室内機３のその他の構成は、前述したエアコン室内機１の構成と同様である。
【００４８】
（エアコン室内機３の動作）
上記の構成において、エアコン室内機３の運転時には、エアコン室内機１と同様に、空気とともに捕虫空間３１に吸い込まれた虫は、フィルタ４３の粘着面４３ｂに付着し、捕獲される。
【００４９】
ここで、自動フィルタ掃除部４１が動作した場合、後面部ブラシ５２（図８参照）とともにフィルタ送部５５が回転する。しかしながら、フィルタ４３の裏面には噛合凸部４２ｃが形成されていないので、フィルタ送部５５が回転してもフィルタ４３は移動しない。したがって、自動フィルタ掃除部４１によるフィルタ４３の清掃は行われない。エアコン室内機３のその他の動作は、前述したエアコン室内機１の動作と同様である。
【００５０】
（エアコン室内機３の利点）
エアコン室内機３では、フィルタ４３が噛合凸部４２ｃを有していないので、自動フィルタ掃除部４１が動作した場合であってもフィルタ４３は移動しない。したがって、自動フィルタ掃除部４１が動作した場合に、フィルタ４３の粘着面４３ｂに自動フィルタ掃除部４１の前面部ブラシ５１が貼り付くことによる自動フィルタ掃除部４１あるいはエアコン室内機３の故障を防止することができる。エアコン室内機３のその他の利点は、前述したエアコン室内機１の利点と同様である。
【００５１】
なお、エアコン室内機３では、室内に虫が出る季節には、粘着面４３ｂを有しかつ噛合凸部４２ｃを有していないフィルタ４３を使用する一方、室内に虫が出ない季節には、粘着面４３ｂを有しておらずかつ噛合凸部４２ｃを有するフィルタを使用するようにしてもよい。この場合、室内に虫が出ない季節には、自動フィルタ掃除部４１を有効に使用することができる。
【００５２】
〔実施形態４〕
本発明のさらに他の実施形態を図面に基づいて以下に説明する。なお、説明の便宜上、前記実施形態にて説明した部材と同じ機能を有する部材については、同じ符号を付記し、その説明を省略する。本実施形態では、送風装置が空気清浄機である場合について説明する。
【００５３】
（空気清浄機４およびプレフィルタ６２の構成）
図１１は、実施形態の送風装置である空気清浄機４を背面側から見た場合の分解斜視図である。図１２は、図１１に示した空気清浄機４の縦断面図である。
【００５４】
図１１および図１２に示すように、空気清浄機４は、背面部に背面パネル６１を有し、筐体６６の内部に、背面側から前面側へ向かって、プレフィルタ（フィルタ）６２、集塵フィルタ６３、加湿フィルタ６４および送風機６５を備えている。
【００５５】
背面パネル６１は多数の吸込み口６１ａを有している。プレフィルタ６２は、例えばフィルタ１７と同様、フィルタとして機能する網部を格子状支持部によって支持した構成であり、背面すなわち吸込み口６１ａ側の面が粘着面６２ｂとなっている。背面パネル６１とプレフィルタ６２との間には捕虫空間３１が形成されている。筐体６６における送風機６５の上方位置の部分には、吹出し口６６ａが形成されている。
【００５６】
プレフィルタ６２および集塵フィルタ６３は、背面パネル６１を取り外すことにより、筐体６６から取り外し可能となっている。
【００５７】
（空気清浄機４の動作）
上記の構成において、空気清浄機４の運転時には、送風機６５が回転することにより、機外の空気が背面パネル６１の吸込み口６１ａから捕虫空間３１内へ吸い込まれる。この空気は、プレフィルタ６２、集塵フィルタ６３、加湿フィルタ６４を経たのち、吹出し口６６ａから機外へ排出される。エアコン室内機１と同様、空気とともに捕虫空間３１に吸い込まれた虫は、プレフィルタ６２の粘着面６２ｂに付着し、捕獲される。
【００５８】
なお、フィルタ４２の粘着面４２ｂに虫が多数付着した場合のフィルタ４２の交換、フィルタ４２の水洗いによる再利用、フィルタ４２の季節に応じた交換については、前述したフィルタ１７の場合と同様である。
【００５９】
（空気清浄機４の利点）
空気清浄機４では、エアコン室内機１の場合と同様、捕虫空間３１に空気とともに侵入した虫を、フィルタ４２の粘着面４２ｂに付着させ、捕獲することができる。したがって、空気清浄機４は、捕虫機能を備え、専用の捕虫器を不要とする。空気清浄機４のその他の利点は、前述したエアコン室内機１の利点と同様である。
【００６０】
〔実施形態５〕
本発明のさらに他の実施形態を図面に基づいて以下に説明する。なお、説明の便宜上、前記実施形態にて説明した部材と同じ機能を有する部材については、同じ符号を付記し、その説明を省略する。
【００６１】
（エアコン室内機５の構成）
図１３は、本実施形態の送風装置であるエアコン室内機５が備えるフィルタ要交換報知装置７１の構成を示すブロック図である。
【００６２】
（エアコン室内機５およびフィルタ要交換報知装置７１の構成）
本実施形態のエアコン室内機５は、例えばエアコン室内機１（図１〜図５参照）と同様の構成を有し、さらに図１３に示すフィルタ要交換報知装置７１を備えている。フィルタ要交換報知装置７１は、入力部７２、本体制御部７３および表示部７４を備えている。
【００６３】
入力部７２は、例えばエアコン室内機１を操作するリモコンであり、ユーザの操作に応じて、エアコン室内機１（本体制御部７３）に対し各種動作の指示を送信する。入力部７２は、例えば液晶表示装置からなる表示部７２ａ、および表示部７２ａの表示を制御する入力側制御部７２ｂを備えている。
【００６４】
本体制御部７３は、入力部７２と通信し、入力部７２への指示入力に応じて、エアコン室内機１の各種の動作を制御する。本体制御部７３は、設定記憶部７３ａ、カウンタ７３ｂおよび報知制御部７３ｃを備えている。
【００６５】
設定記憶部７３ａは、エアコン室内機１に対して設定された情報を記憶する。ここでは、フィルタ１７を交換すべき運転時間の蓄積時間である要交換運転時間を記憶している。カウンタ７３ｂは、フィルタ１７の交換時からのエアコン室内機１の積算運転時間をカウントする。報知制御部７３ｃは、カウンタ７３ｂのカウント時間がフィルタ１７の要交換運転時間に到達したかどうかを判定する。また、報知制御部７３ｃは、カウンタ７３ｂのカウント時間が要交換運転時間に到達したと判定した場合に、フィルタ１７を交換すべきであることを示す交換指示情報を入力部７２へ送信する。さらに、報知制御部７３ｃは、表示部７４に、フィルタ１７を交換すべきことを報知する表示を行わせる。
【００６６】
表示部７４は、本体制御部７３に制御され、フィルタ１７を交換すべきことを報知する表示を行う。なお、表示部７４は、例えば、エアコン室内機１の筐体部１１の前面に設けられた、単なるランプ（例えばＬＥＤランプ）であってもよい。
【００６７】
また、入力部７２の入力側制御部７２ｂは、本体制御部７３からの交換指示情報を受信すると、ユーザに対してフィルタ１７の交換を促すメッセージを表示部７２ａに表示させる。
【００６８】
ここで、設定記憶部７３ａは、要交換運転時間として、相対的に短い第１要交換運転時間、および相対的に長い第２要交換運転時間を記憶している。第１要交換運転時間は、室内に虫が出やすい期間に選択される運転時間であり、第２要交換運転時間は、それ以外の期間に選択される運転時間である。ここでは、室内に虫が出やすい期間を夏場の季節とする。報知制御部７３ｃは要交換運転時間として、夏場には第１要交換運転時間を選択し、夏場以外には第２要交換運転時間を選択して、上記判定動作を行う。これは、室内に虫が出やすい夏場には、フィルタ１７の粘着面１７ｂに捕獲される虫の量が多くなる結果、フィルタ１７の寿命が短くなるためである。
【００６９】
なお、第１要交換運転時間または第２要交換運転時間の選択は、フィルタ１７の交換後において、入力部７２の表示部７２ａに表示される問合せメッセージに基づいて、入力部７２によりユーザが選択できるようにしてもよい。この場合には、例えば次の手順にて要交換運転時間の設定が行われる。
【００７０】
すなわち、本体制御部７３は、入力部７２に対してフィルタ１７が交換された旨の情報を送信し、入力部７２では、その情報を受信すると、入力側制御部７２ｂが表示部７２ａに上記問合せメッセージを表示させる。その後、入力部７２は、入力部７２でのユーザによる要交換運転時間の選択結果を本体制御部７３へ送信する。本体制御部７３では、入力部７２から要交換運転時間の選択結果を受信すると、報知制御部７３ｃが選択された要交換運転時間を設定する。
【００７１】
また、ここでは、相対的に短い第１要交換運転時間を選択すべき期間は、夏場として説明するが、室内に虫が出やすい期間は地域によって異なるので、エアコン（エアコン室内機５）を使用する地域に応じて適宜設定すればよい。
【００７２】
本体制御部７３は、フィルタ１７が交換されたことを、ユーザが操作する入力部７２からの入力、あるいはフィルタ１７の配置位置に設けられた、フィルタ１７の取り外し動作を検知するセンサからの入力、あるいはフィルタ１７の取り付け取り外しによって動作するスイッチのオンオフ動作によって知るようにしてもよい。
【００７３】
さらに、交換により装着されたフィルタが、粘着面１７ｂを有するフィルタ１７であるか粘着面１７ｂを有していないフィルタであるかをセンサやスイッチ等により検出できるようにしておき、その検出結果を本体制御部７３へ入力できるようにしておいてもよい。
【００７４】
この場合、例えばフィルタの一部の特殊形状によって上記両フィルタを区別できるようにしておき、センサやスイッチ等が上記特殊形状を検出できるようにしておいてもよい。
【００７５】
（フィルタ要交換報知装置７１の動作）
上記の構成において、フィルタ要交換報知装置７１の動作について以下に説明する。図１４はフィルタ要交換報知装置７１の動作を示すフローチャートである。
【００７６】
フィルタ要交換報知装置７１は、フィルタ１７が交換されると、交換された新たなフィルタ１７の監視動作を開始する。フィルタ要交換報知装置７１が動作を開始すると、本体制御部７３の報知制御部７３ｃは、季節が夏場かどうかを判定する（Ｓ１１）。この判定は、例えば報知制御部７３ｃが備えるタイマ（月日を計る時計）からの情報に基づいて行う。報知制御部７３ｃは、判定の結果、季節が夏場であれば、設定時間が短い第１要交換運転時間を選択する（Ｓ１２）。一方、季節が夏場でなければ、設定時間が長い第２要交換運転時間を選択する（Ｓ１３）。
【００７７】
次に、本体制御部７３のカウンタ７３ｂは、エアコン室内機５の運転時間を積算してカウントする（積算運転時間をカウントする）（Ｓ１４）。
【００７８】
本体制御部７３の報知制御部７３ｃは、カウンタ７３ｂが示すエアコン室内機５の積算運転時間が、選択した要交換運転時間に到達したかどうかを判定し（Ｓ１５）、積算運転時間が要交換運転時間に到達していなければＳ１４の動作に戻る。
【００７９】
一方、Ｓ１５での判定の結果、積算運転時間が要交換運転時間に到達していれば、報知制御部７３ｃは、表示部７４を駆動して、フィルタ１７の交換が必要であることを示す表示を行わせる。また、報知制御部７３ｃは、フィルタ１７を交換すべきであることを示す交換指示情報を入力部７２へ送信する（Ｓ１６）。
【００８０】
なお、入力部７２では、本体制御部７３から交換指示情報を受信すると、入力側制御部７２ｂ交換指示情報、ユーザに対してフィルタ１７の交換を促すメッセージを表示部７２ａに表示させる。
【００８１】
その後、フィルタ１７が交換されると（Ｓ１７）、本体制御部７３の報知制御部７３ｃは、カウンタ７３ｂをリセットしてＳ１１の処理へ戻る。
【００８２】
なお、本実施形態に示したフィルタ要交換報知装置７１は、エアコン室内機１に加えて、前述したエアコン室内機２〜３および空気清浄機４に対しても適用可能である。また、エアコン室内機３（図７参照）では、図９に示した入力部５８（例えばリモコン）がフィルタ要交換報知装置７１の入力部７２の機能を備えたものとなり、制御部５７が本体制御部７３を兼用してもよい。
【００８３】
（エアコン室内機５の利点）
エアコン室内機５では、エアコン室内機５の運転時間がフィルタ１７の要交換運転時間に到達した場合に、エアコン室内機５に設けられた表示部７４、および入力部７２例えばリモコンの表示部７２ａにおいて、フィルタ１７の交換が必要であることをユーザに知らせることができる。
【００８４】
また、要交換運転時間については、相対的に短い第１要交換運転時間または相対的に長い第２要交換運転時間を選択できるようになっている。したがって、室内に虫が多く存在する期間とそうでない期間において、フィルタ１７のエアフィルタとしての機能、およびフィルタ１７による虫の捕獲機能を適切に維持し、かつ発揮することができる。エアコン室内機５のその他の利点については、前述したエアコン室内機１の利点と同様である。
【００８５】
〔実施形態６〕
本発明のさらに他の実施形態を図面に基づいて以下に説明する。なお、説明の便宜上、前記実施形態にて説明した部材と同じ機能を有する部材については、同じ符号を付記し、その説明を省略する。
【００８６】
先の実施形態では、例えばフィルタ１７において、粘着剤をフィルタ１７の前面（片面）に塗布することにより、粘着面１７ｂを形成する例について示した。しかしながら、粘着面１７ｂは、粘着性を有する素材によって網部２１を形成することにより、形成される構成であってもよい。
【００８７】
網部２１を形成する素材としては、例えばカーペットの清掃に使用する粘着ローラの素材と同じような素材を使用することができる。例えば、粘着性のあるシリコン、あるいは熱可塑性エラストマなどである。このような素材は、水洗いでき、乾燥させれば粘着性が復活する。
【００８８】
図１５は、本実施形態の粘着性を有する素材にて形成したフィルタ４４を示す縦断面図である。フィルタ４４は、格子状支持部２２を網部２１の両面に有している。網部２１の両面はそれぞれ粘着面４４ｂとなっている。両面の格子状支持部２２は、網部２１の面、すなわち粘着面４４ｂよりも高く、粘着面４４ｂに対して凸状となっている。格子状支持部２２の高さは、前述の場合と同様、フィルタ４４を送風装置に装着した状態において、粘着面４４ｂが他の部材と接触するのを防止できる高さである。
【００８９】
フィルタ４４の網部２１は、網部２１を形成する素材自体が粘着性を有しているので、網部２１に粘着剤を塗布する工程が不要であるという利点を有する。
【００９０】
粘着性を有する素材にて網部２１を形成したフィルタ４４の構成は、以上の実施形態に示した各フィルタに対しても適用可能である。
【００９１】
〔まとめ〕
本発明の態様１に係る送風装置（エアコン室内機１〜３，５、空気清浄機４）は、空気の吸込み口（下吸込み口１４，上吸込み口１６，吸込み口６１ａ）と、空気の吹出し口１５，６６ａと、フィルタ（フィルタ１７，４２〜４４、プレフィルタ６２）と、送風機１８，６５とを備え、前記送風機１８，６５の動作により、前記吸込み口から吸い込まれた空気が前記フィルタを通過し、前記吹出し口から吹き出される送風装置において、前記フィルタの前記吸込み口側の面は、粘着面１７ｂ，４２ｂ，４３ｂ，４４ｂ，６２ａとなっている。
【００９２】
上記の構成によれば、送風装置の運転時には、送風機１８，６５の動作により、吸込み口から吸い込まれた空気がフィルタを通過し、吹出し口から吹き出される。この場合、送風装置の近くにいた虫を、空気とともに吸込み口から送風装置の内部へ吸い込み、フィルタの粘着面に付着させ、捕獲することができる。
【００９３】
したがって、送風装置は、捕虫機能を備え、専用の捕虫器を不要とする。また、フィルタには、本来の空気のフィルタ機能（埃除去機能）に加えて捕虫機能が付与されているので、専用の捕虫部材（例えば粘着面を有する捕虫シート）が不要であり、部品点数の増加を抑制し、かつ捕虫部材を設けるスペースも不要である。
【００９４】
また、フィルタが捕えた埃や虫は、粘着面に付着しているので、フィルタの交換等のためにフィルタを送風装置から取り外す際に、埃や虫がフィルタから落下し難く、衛生的である。
【００９５】
本発明の態様２に係る送風装置（エアコン室内機１〜３，５、空気清浄機４）は、上記態様１において、前記フィルタ（フィルタ１７，４２〜４４、プレフィルタ６２）の交換が必要であることを報知する報知部（表示部７４、表示部７２ａ）と、要交換運転時間として第１要交換運転時間および前記第１要交換運転時間よりも長い第２要交換運転時間を記憶する設定記憶部７３ａと、前記フィルタの交換時点からの当該送風装置の積算運転時間をカウントするカウンタ７３ｂと、フィルタの要交換運転時間として、虫の多い期間とした第１の期間には前記第１要交換運転時間を選択し、虫の少ない期間とした第２の期間には前記第２要交換運転時間を選択し、前記積算運転時間が、選択した前記要交換運転時間に到達した場合に、前記報知部を動作させる報知制御部７３ｃとを備えている。
【００９６】
上記の構成によれば、報知制御部７３ｃは、フィルタの交換時点からの送風装置の積算運転時間が要交換運転時間に到達した場合に、報知部を動作させる。したがって、ユーザは、報知部の動作により、フィルタの交換が必要であることを知ることができる。
【００９７】
また、報知制御部７３ｃは、虫の多い期間とした第１の期間（例えば夏場の期間）には第１要交換運転時間を選択し、虫の少ない期間とした第２の期間（例えば夏場以外の期間）には第２要交換運転時間を選択する。したがって、虫の多い期間には、フィルタの要交換を報知するまでの時間が短くなり、虫の少ない期間にはフィルタの要交換を報知するまでの時間が長くなる。これにより、室内に虫が多く存在する期間とそうでない期間において、フィルタのエアフィルタとしての機能、およびフィルタによる虫の捕獲機能を適切に維持し、発揮することができる。
【００９８】
本発明の態様３に係る送風装置（エアコン室内機１〜３，５、空気清浄機４）は、上記態様１または２において、前記フィルタ（フィルタ１７，４２〜４４、プレフィルタ６２）の前記粘着面１７ｂ，４２ｂ，４３ｂ，４４ｂ，６２ａは黒色である。
【００９９】
上記の構成によれば、フィルタの粘着面は、例えば黒色の粘着剤を塗布することにより形成され、蚊が好む黒色となっている。したがって、特に蚊を粘着面に誘引しやすく、蚊に対する高い捕獲機能を備えることができる。
【０１００】
本発明の態様４に係る送風装置（エアコン室内機２）は、上記態様１から３のいずれか１態様において、掃除部材（前面部ブラシ５１、後面部ブラシ５２）がフィルタ４２の表面に接触してフィルタ４２の表面を掃除する自動フィルタ掃除部４１と、前記自動フィルタ掃除部４１の稼働を制御する制御部５７と、前記制御部５７に対する入力部５８とを備え、前記制御部５７は、前記入力部５８から前記自動フィルタ掃除部４１の稼働停止を意図する入力が行われた場合に、前記自動フィルタ掃除部４１に対する稼働指示に優先して、前記自動フィルタ掃除部４１の稼働を停止させる。
【０１０１】
上記の構成によれば、制御部５７は、入力部５８から自動フィルタ掃除部４１の稼働停止を意図する入力が行われた場合に、自動フィルタ掃除部４１に対する稼働指示に優先して、自動フィルタ掃除部４１の稼働を停止させるので、自動フィルタ掃除部４１あるいは送風装置が故障する事態を防止することができる。
【０１０２】
自動フィルタ掃除部４１は、例えば、フィルタの表面に接触する掃除部材により、フィルタの表面に付着した埃を書き落とすように動作する。制御部５７は、通常、送風装置が運転を停止したときに自動フィルタ掃除部４１を稼働させる設定（稼働指示）に応じて、あるいは入力部５８（例えばユーザが操作するリモコン）からの自動フィルタ掃除部４１の稼働指示を入力したときに、自動フィルタ掃除部４１を稼働させる。
【０１０３】
一方、制御部５７は、入力部５８（例えばユーザが操作するリモコン）からの自動フィルタ掃除部４１の稼働停止の指示を入力したときに、自動フィルタ掃除部４１に対する稼働指示に優先して、自動フィルタ掃除部４１の稼働を停止させる。この場合の稼働停止の指示は、ユーザが粘着面４２ｂを有するフィルタ４４を送風装置に装着した後、リモコンを操作し、自動フィルタ掃除部４１の稼働停止の指示を送風装置に送信したことにより生じたものである。
【０１０４】
あるいは、制御部５７は、例えば、粘着面４２ｂを有するフィルタ４４が送風装置に装着されたことを、入力部５８としてのセンサが検知したとき（すなわち自動フィルタ掃除部４１の稼働停止を意図する入力が行われた場合）、自動フィルタ掃除部４１に対する稼働指示に優先して、自動フィルタ掃除部４１の稼働を停止させる。
【０１０５】
したがって、粘着面４２ｂを有するフィルタ４４が送風装置に装着されている状態において、自動フィルタ掃除部４１が稼働して掃除部材が粘着面４２ｂに貼り付いて自動フィルタ掃除部４１あるいは送風装置が故障する事態を防止することができる。
【０１０６】
本発明の態様５に係る送風装置（エアコン室内機３）は、上記態様１から３のいずれか１態様において、前記粘着面４２ｂを有する前記フィルタ４２は、両側部に噛合部（噛合凸部４２ｃ）を有しておらず、前記粘着面４２ｂを有していないフィルタは、両側部に前記噛合部（噛合凸部４２ｃ）を有しており、これら両フィルタは交換して使用可能であり、前記噛合部と噛み合って前記フィルタを送るフィルタ送部５５、および前記フィルタ送部５５により送られる前記フィルタの表面に接触してフィルタの表面を掃除する掃除部材（前面部ブラシ５１、後面部ブラシ５２）を有する自動フィルタ掃除部４１を備えている。
【０１０７】
上記の構成によれば、粘着面４２ｂを有するフィルタ４２は、噛合部を有していないので、自動フィルタ掃除部４１のフィルタ送部５５により送られることがなく、自動フィルタ掃除部４１が稼働しても移動しない。したがって、フィルタ４２の粘着面４２ｂに自動フィルタ掃除部４１の掃除部材が貼り付いて、自動フィルタ掃除部４１あるいは送風装置が故障する事態を防止することができる。
【０１０８】
本発明の態様６に係る送風装置（エアコン室内機１〜３，５、空気清浄機４）は、上記態様１から５のいずれか１態様において、前記フィルタ（フィルタ１７，４２〜４４、プレフィルタ６２）は、前記粘着面１７ｂ，４２ｂ，４３ｂ，４４ｂ，６２ａを前記空気の吸込み口（下吸込み口１４，上吸込み口１６，吸込み口６１ａ）側の面のみに有している。
【０１０９】
上記の構成によれば、フィルタは、粘着面を空気の吸込み口側の面のみに有し、片面のみが粘着面となっている。したがって、フィルタに粘着剤を塗布して粘着面を形成する場合の製造コストを低減することができる。また、送風装置に対するフィルタの取り付け、取り外し作業の際に、フィルタを粘着面ではない側の面を下にして、台の上等に載置することができるので、フィルタを扱う場合の作業性がよい。
【０１１０】
本発明の態様７に係る送風装置（エアコン室内機１〜３，５、空気清浄機４）は、上記態様１から６のいずれか１態様において、前記フィルタ（フィルタ１７，４２〜４４）は、前記粘着面１７ｂ，４２ｂ，４３ｂ，４４ｂを有する網部２１と、前記粘着面側に設けられ、前記網部２１を支持する支持部（格子状支持部２２）とを備え、前記支持部は、前記粘着面から突出し、前記フィルタを送風装置に装着した状態において、前記粘着面が他の部材と接触するのを防止する高さを有している。
【０１１１】
上記の構成によれば、フィルタの支持部２２は、粘着面から突出し、フィルタを送風装置に装着した状態において、粘着面が他の部材と接触するのを防止する高さを有している。したがって、フィルタ１７を送風装置に対して取り付け、取り外しする際に、粘着面が他の部材に粘着して作業性が低下する事態を防止することができる。
【０１１２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１３】
１〜３    エアコン室内機（送風装置）
４    空気清浄機（送風装置）
１２    フロントパネル
１３    風向板
１４    下吸込み口
１５    吹出し口
１６    上吸込み口
１７    フィルタ
１７ｂ  粘着面
１８    送風機
１９    熱交換器
２１    網部
２２    格子状支持部（支持部）
３１    捕虫空間
４１    自動フィルタ掃除部
４２，４３，４４      フィルタ
４２ｂ，４３ｂ，４４ｂ  粘着面
４２ｃ  噛合凸部
５１    前面部ブラシ
５２    後面部ブラシ
５３    フィルタ配置通路
５４    フィルタ補助通路
５５    フィルタ送部
５６    清掃駆動部
５７    制御部
５８    入力部
６１    背面パネル
６１ａ  吸込み口
６２    プレフィルタ（フィルタ）
６２ａ  粘着面
６３    集塵フィルタ
６４    加湿フィルタ
６５    送風機
６６    筐体
６６ａ  吹出し口
７１    フィルタ要交換報知装置
７２    入力部
７２ａ  表示部
７２ｂ  入力側制御部
７３    本体制御部
７３ａ  設定記憶部
７３ｂ  カウンタ
７３c  報知制御部
７４    表示部
【図１】
2018096634.tif 000003
【図２】
2018096634.tif 000004
【図３】
2018096634.tif 000005
【図４】
2018096634.tif 000006
【図５】
2018096634.tif 000007
【図６】
2018096634.tif 000008
【図７】
2018096634.tif 000009
【図８】
2018096634.tif 000010
【図９】
2018096634.tif 000011
【図１０】
2018096634.tif 000012
【図１１】
2018096634.tif 000013
【図１２】
2018096634.tif 000014
【図１３】
2018096634.tif 000015
【図１４】
2018096634.tif 000016
【図１５】
2018096634.tif 000017